(57)【要約】【課題】ＡＤＳＬ通信での差別化【解決手段】電話回線への接続、電話回線帯域の信号を入出力するポートへの接続、電話回線帯域より高い周波数の帯域の信号を入出力するポートへの接続可能なスプリッタ装置において、電話回線帯域の信号を入出力するポートからの通信が選択時は、電話回線帯域より高い周波数の帯域の信号を入出力するポートでの通信が実行されていない場合は、電話回線帯域より高い周波数の帯域の信号を入出力するポートでの通信パスをオフした後に、電話回線帯域の信号を入出力するポートからの通信をすぐに実行し、電話回線帯域より高い周波数の帯域の信号を入出力するポートでの通信が実行している場合は、電話回線帯域の信号を入出力するポートからの通信を実行しない。【選択図】        図１
2004241990.tif 000002
【特許請求の範囲】
【請求項１】
電話回線への接続、電話回線帯域の信号を入出力するポートへの接続、電話回線帯域より高い周波数の帯域の信号を入出力するポートへの接続可能なスプリッタ装置において、電話回線帯域の信号を入出力するポートからの通信が選択時は、電話回線帯域より高い周波数の帯域の信号を入出力するポートでの通信が実行されていない場合は、電話回線帯域の信号を入出力するポートからの通信をすぐに実行し、電話回線帯域より高い周波数の帯域の信号を入出力するポートでの通信が実行している場合は、電話回線帯域の信号を入出力するポートからの通信を実行しない事を特徴とするスプリッタ装置。
【請求項２】
請求項１において、さらに、電話回線帯域より高い周波数の帯域の信号を入出力するポートでの通信パスをオフする手段を有し、電話回線帯域の信号を入出力するポートからの通信が選択時は、電話回線帯域より高い周波数の帯域の信号を入出力するポートでの通信が実行されていない場合は、電話回線帯域より高い周波数の帯域の信号を入出力するポートでの通信パスをオフした後に、電話回線帯域の信号を入出力するポートからの通信をすぐに実行する事を特徴とするスプリッタ装置。
【請求項３】
請求項１、２において、電話回線帯域より高い周波数の帯域の信号を入出力するポートからの電話回線を介して通信する事が選択された時、電話回線帯域の信号を入出力するポートからの通信を実行していない場合は、電話回線帯域より高い周波数の帯域の信号を入出力するポートからの電話回線を介しての通信を実行する事を特徴とするスプリッタ装置。
【請求項４】
請求項１、２、３において、電話回線への接続、電話回線帯域の信号を入出力するポートへの接続、電話回線帯域より高い周波数の帯域の信号を入出力するポートへの接続可能なスプリッタ装置において、電話回線帯域の信号を入出力するポートからの通信が選択時は、電話回線帯域より高い周波数の帯域の信号を入出力するポートでの通信が実行されていない場合は、電話回線帯域の信号を入出力するポートからの通信をすぐに実行し、電話回線帯域より高い周波数の帯域の信号を入出力するポートでの通信が実行している場合は、電話回線帯域の信号を入出力するポートからの通信を実行しない制御を実行するか否かを登録する手段を有する事を特徴とするスプリッタ装置。
【請求項５】
請求項４において、電話回線帯域より高い周波数の帯域の信号を入出力するポートでの通信が実行している場合は、電話回線帯域の信号を入出力するポートからの通信を実行しない制御を実行する事が選択されていない登録の場合は、電話回線帯域より高い周波数の帯域の信号を入出力するポートからの電話回線を介して通信する事が選択された時、電話回線帯域の信号を入出力するポートからの通信の実行の有無に無関係に、電話回線帯域より高い周波数の帯域の信号を入出力するポートからの電話回線を介しての通信を実行する事を特徴とするスプリッタ装置。
【発明の詳細な説明】
【０００１】
【発明の属する技術分野】
本発明は、スプリッタ装置、特に、ＡＤＳＬを使用した電話回線、電話回線帯域より高い周波数の帯域の信号を入出力するポート、電話回線帯域の信号を入出力するポートを接続可能なスプリッタ装置に関するものである。
【０００２】
【従来の技術】
従来のＡＤＳＬを使用したスプリッタ装置としては、ＡＤＳＬの電話回線側の帯域での通信とＡＤＳＬのＬＡＮ側の帯域での通信は完全に独立して実行していた。
【０００３】
【発明が解決しようとする課題】
上記、従来例においては、ＡＤＳＬのＬＡＮ側の帯域で通信を実行時、スプリッタ装置からノイズが漏れて、ＡＤＳＬの電話回線側の帯域での通信に悪影響を及ぼし、通信エラーが発生していた。ここで、ＡＤＳＬのＬＡＮ側の帯域で通信を実行時、スプリッタ装置からノイズが漏れても、ＡＤＳＬの電話回線側の帯域で通話を実行している時には、通話に少しノイズが乗る程度で通話ができなくなるという問題は発生しない。すなわち、通話の時には、支障は無い。
【０００４】
【課題を解決するための手段】
第１の本発明によれば、電話回線への接続、電話回線帯域の信号を入出力するポートへの接続、電話回線帯域より高い周波数の帯域の信号を入出力するポートへの接続可能なスプリッタ装置において、電話回線帯域の信号を入出力するポートからの通信が選択時は、電話回線帯域より高い周波数の帯域の信号を入出力するポートでの通信が実行されていない場合は、電話回線帯域の信号を入出力するポートからの通信をすぐに実行し、電話回線帯域より高い周波数の帯域の信号を入出力するポートでの通信が実行している場合は、電話回線帯域の信号を入出力するポートからの通信を実行しない事が可能になった。第２の本発明によれば、第１の本発明において、さらに、電話回線帯域より高い周波数の帯域の信号を入出力するポートでの通信パスをオフする手段を有し、電話回線帯域の信号を入出力するポートからの通信が選択時は、電話回線帯域より高い周波数の帯域の信号を入出力するポートでの通信が実行されていない場合は、電話回線帯域より高い周波数の帯域の信号を入出力するポートでの通信パスをオフした後に、電話回線帯域の信号を入出力するポートからの通信をすぐに実行する事が可能になった。
【０００５】
これらにより、電話回線への接続、電話回線帯域の信号を入出力するポートへの接続、電話回線帯域より高い周波数の帯域の信号を入出力するポートへの接続可能なスプリッタ装置において、電話回線帯域の信号を入出力するポートからの通信が選択時は、電話回線帯域より高い周波数の帯域の信号を入出力するポートでの通信が実行されていない場合は、電話回線帯域より高い周波数の帯域の信号を入出力するポートでの通信パスをオフした後に、電話回線帯域の信号を入出力するポートからの通信をすぐに実行し、確実なファクシミリ通信が可能になり、ユーザに取ってとても使い易くなった。また、電話回線帯域より高い周波数の帯域の信号を入出力するポートでの通信が実行している場合は、電話回線帯域の信号を入出力するポートからの通信を実行しない事が可能になり、ファクシミリ通信がエラーする場合は、通信を実行しないで待てるので、無駄なファクシミリ通信が無くなり、ユーザにはとても使いやすくなった。
【０００６】
第３の本発明によれば、第１、２の本発明において、電話回線帯域より高い周波数の帯域の信号を入出力するポートからの電話回線を介して通信する事が選択された時、電話回線帯域の信号を入出力するポートからの通信を実行していない場合は、電話回線帯域より高い周波数の帯域の信号を入出力するポートからの電話回線を介しての通信を実行する事が可能になった。
【０００７】
これにより、電話回線帯域より高い周波数の帯域の信号を入出力するポートからの電話回線を介して通信する事が選択された時、電話回線帯域の信号を入出力するポートからの通信を実行していない場合は、電話回線帯域より高い周波数の帯域の信号を入出力するポートからの電話回線を介しての通信を実行でき、ファクシミリ通信が実行している場合は、ＬＡＮ通信は実行しなくて、ファクシミリ通信を妨害する事は無くなった。
【０００８】
第４の本発明によれば、第１、２、３の本発明において、電話回線への接続、電話回線帯域の信号を入出力するポートへの接続、電話回線帯域より高い周波数の帯域の信号を入出力するポートへの接続可能なスプリッタ装置において、電話回線帯域の信号を入出力するポートからの通信が選択時は、電話回線帯域より高い周波数の帯域の信号を入出力するポートでの通信が実行されていない場合は、電話回線帯域の信号を入出力するポートからの通信をすぐに実行し、電話回線帯域より高い周波数の帯域の信号を入出力するポートでの通信が実行している場合は、電話回線帯域の信号を入出力するポートからの通信を実行しない制御を実行するか否かを登録する手段を有する事が可能になった。第５の本発明によれば、第４の本発明において、電話回線帯域より高い周波数の帯域の信号を入出力するポートでの通信が実行している場合は、電話回線帯域の信号を入出力するポートからの通信を実行しない制御を実行する事が選択されていない登録の場合は、電話回線帯域より高い周波数の帯域の信号を入出力するポートからの電話回線を介して通信する事が選択された時、電話回線帯域の信号を入出力するポートからの通信の実行の有無に無関係に、電話回線帯域より高い周波数の帯域の信号を入出力するポートからの電話回線を介しての通信を実行する事が可能になった。
【０００９】
これらにより、電話回線帯域の信号を入出力するポートからは、通話のみを実行する場合は、通話中に、ＬＡＮ通信を実行しても通話エラーとなる事は無いので、これらの２つの動作（通話、及び、ＬＡＮ通信）を同時に実行できユーザには使い易くなった。
【００１０】
【発明の実施の形態】
（実施例１）
以下、図面に示す実施の形態に基づいて、本発明を詳細に説明する。
【００１１】
図１には、本発明の実施の形態であるスプリッタ装置、及び、その周辺装置がブロック図として図示されている。
【００１２】
２は、スプリッタ装置である。電話回線側への接続は、信号線２ａであり、電話回線帯域より高周波数の信号は信号線２ｂに出力され、電話回線帯域の信号は信号線２ｃに出力される。
【００１３】
４は、ＡＤＳＬモデム内蔵ブロードバンドルータであり、信号線４ａはイーサネット（登録商標）であり、ＰＣ１（６）、ＰＣ２（８）に接続される。
【００１４】
１０は、ＦＡＸ（ファクシミリ装置）であり、信号線２ｃを介してスプリッタ２に接続される。
【００１５】
次に、スプリッタ４の内部ブロックに関して説明する。
【００１６】
２０は、操作部であり、押下されたキー情報は信号線２０ａに出力される。ここで、電話回線帯域の信号を入出力するポートからの通信が選択時は、電話回線帯域より高い周波数の帯域の信号を入出力するポートでの通信が実行されていない場合は、電話回線帯域の信号を入出力するポートからの通信をすぐに実行し、電話回線帯域より高い周波数の帯域の信号を入出力するポートでの通信が実行している場合は、電話回線帯域の信号を入出力するポートからの通信を実行しない制御を実行するか否かを選択できる。
【００１７】
２２は、制御回路である。ＣＰＵ（中央処理装置）とメモリから構成される。メモリには、その制御プログラムが格納されている。ここでの制御は、電話回線への接続、電話回線帯域の信号を入出力するポートへの接続、電話回線帯域より高い周波数の帯域の信号を入出力するポートへの接続可能なスプリッタ装置において、電話回線帯域の信号を入出力するポートからの通信が選択時は、電話回線帯域より高い周波数の帯域の信号を入出力するポートでの通信が実行されていない場合は、電話回線帯域の信号を入出力するポートからの通信をすぐに実行し、電話回線帯域より高い周波数の帯域の信号を入出力するポートでの通信が実行している場合は、電話回線帯域の信号を入出力するポートからの通信を実行しない。
【００１８】
さらに、電話回線帯域より高い周波数の帯域の信号を入出力するポートでの通信パスをオフする手段を有し、電話回線帯域の信号を入出力するポートからの通信が選択時は、電話回線帯域より高い周波数の帯域の信号を入出力するポートでの通信が実行されていない場合は、電話回線帯域より高い周波数の帯域の信号を入出力するポートでの通信パスをオフした後に、電話回線帯域の信号を入出力するポートからの通信をすぐに実行する。
【００１９】
一方、電話回線帯域より高い周波数の帯域の信号を入出力するポートからの電話回線を介して通信する事が選択された時、電話回線帯域の信号を入出力するポートからの通信を実行していない場合は、電話回線帯域より高い周波数の帯域の信号を入出力するポートからの電話回線を介しての通信を実行する。
【００２０】
上記の制御にて、電話回線への接続、電話回線帯域の信号を入出力するポートへの接続、電話回線帯域より高い周波数の帯域の信号を入出力するポートへの接続可能なスプリッタ装置において、電話回線帯域の信号を入出力するポートからの通信が選択時は、電話回線帯域より高い周波数の帯域の信号を入出力するポートでの通信が実行されていない場合は、電話回線帯域の信号を入出力するポートからの通信をすぐに実行し、電話回線帯域より高い周波数の帯域の信号を入出力するポートでの通信が実行している場合は、電話回線帯域の信号を入出力するポートからの通信を実行しない制御を実行するか否かを登録する手段を有する。そして、電話回線帯域より高い周波数の帯域の信号を入出力するポートでの通信が実行している場合は、電話回線帯域の信号を入出力するポートからの通信を実行しない制御を実行する事が選択されていない登録の場合は、電話回線帯域より高い周波数の帯域の信号を入出力するポートからの電話回線を介して通信する事が選択された時、電話回線帯域の信号を入出力するポートからの通信の実行の有無に無関係に、電話回線帯域より高い周波数の帯域の信号を入出力するポートからの電話回線を介しての通信を実行する。
【００２１】
以上の制御プログラムが格納されている。
【００２２】
２４は、帯域信号通過回路であり、信号線２２ｄに信号レベル「１」の信号が出力されていると、音声帯域の信号は、信号線２ａと信号線２４ａに出力され、音声帯域より高い周波数の信号は信号線２ａと信号線２４ｂに出力される。また、信号線２２ｄに信号レベル「０」の信号が出力されていると何も制御しない。
【００２３】
２６は、ビジートーン発生回路であり、信号線２２ｃに信号レベル「１」の信号が出力されると、信号線２６ａにビジートーンを発生し、信号線２２ｃに信号レベル「０」の信号が出力されると、信号線２６ａに何も信号を発生しない。
【００２４】
２８は、スイッチ回路であり、信号線２２ｂに信号レベル「１」の信号が出力されると、信号線２ｃを信号線２６ａに接続し、信号線２２ｂに信号レベル「０」の信号が出力されると、信号線２ｃを信号線２４ｂに接続する。
【００２５】
３０は、スイッチ回路であり、信号線２２ａに信号レベル「１」の信号が出力されると、信号線２４ａをオープンとし、信号線２２ａに信号レベル「０」の信号が出力されると、信号線２４ａを信号線２ｂに接続する。
【００２６】
図２、３、４には、図１の制御回路２２の制御の流れ図が図示されている。
【００２７】
図２において、Ｓ０は、始めを表している。
【００２８】
Ｓ２は、信号線２２ｂを介して、リレー２８をオフする事を表している。
【００２９】
Ｓ４は、信号線２２ａを介して、リレー３０をオフする事を表している。
【００３０】
Ｓ６は、信号線２２ｃを介して、ビジートーン発生回路２６のビジートーンを発生しない。
【００３１】
Ｓ８は、信号線２２ｄを介して、帯域信号通過回路２８の帯域信号通過回路を制御しない。
【００３２】
Ｓ１０では、操作部の情報を入力し、ＬＡＮ回路と音声帯域回線の使用制限制御を有効にする事が選択されているか否かが判断され、ＹＥＳであるとＳ１６に進み、ＮＯであると、Ｓ１２に進む。
【００３３】
Ｓ１２は、信号線２２ｄを介して、帯域信号通過回路２８の帯域信号通過回路を制御する。
【００３４】
Ｓ１４は、ＡＤＳＬを使用したＬＡＮ通信と音声帯域通信（通話）を同時に制限を設けずに実行する事を表している。
【００３５】
Ｓ１６は、信号線２２ｄを介して、帯域信号通過回路２８の帯域信号通過回路を制御する。
【００３６】
Ｓ１８では、ファクシミリ送信が選択されたか否かが判断され、ＹＥＳであるとＳ２８に進み、ＮＯであると、Ｓ２０に進む。
【００３７】
Ｓ２０では、ファクシミリ受信が選択されたか否かが判断され、ＹＥＳであるとＳ２２に進み、ＮＯであると、Ｓ４６に進む。
【００３８】
Ｓ２２では、ＡＤＳＬを介してＬＡＮ通信が実行中であるか否かが判断され、ＹＥＳであるとＳ２４に進み、ＮＯであると、Ｓ３０に進む。
【００３９】
Ｓ２４は、信号線２２ｂを介して、リレー２８をオンする事を表している。
【００４０】
Ｓ２６では、呼びだし信号に応答しない事を表している。
【００４１】
Ｓ２８では、ＡＤＳＬを介してＬＡＮ通信が実行中であるか否かが判断され、ＹＥＳであるとＳ３６に進み、ＮＯであると、Ｓ３０に進む。
【００４２】
Ｓ３０は、信号線２２ａを介して、リレー３０をオンする事を表している。
【００４３】
Ｓ３２は、ファクシミリ通信の実行を表している。
【００４４】
Ｓ３４は、信号線２２ａを介して、リレー３０をオフする事を表している。
【００４５】
Ｓ３６は、信号線２２ｂを介して、リレー２８をオンする事を表している。
【００４６】
Ｓ３８は、信号線２２ｃを介して、ビジートーン発生回路２６のビジートーンを発生する。
【００４７】
Ｓ４０では、ＡＤＳＬを介してＬＡＮ通信が終了したか否かが判断され、ＹＥＳであるとＳ４２に進み、ＮＯであると、Ｓ４０に進む。
【００４８】
Ｓ４２は、信号線２２ｂを介して、リレー２８をオフする事を表している。
【００４９】
Ｓ４４は、信号線２２ｃを介して、ビジートーン発生回路２６のビジートーンを発生しない。
【００５０】
Ｓ４６では、ＡＤＳＬを介してＬＡＮ通信が選択されたか否かが判断され、ＹＥＳであるとＳ４８に進み、ＮＯであると、Ｓ１０に進む。
【００５１】
Ｓ４８では、ファクシミリ通信が実行中であるか否かが判断され、ＹＥＳであるとＳ５０に進み、ＮＯであると、Ｓ５２に進む。
【００５２】
Ｓ５０では、ファクシミリ通信が終了したか否かが判断され、ＹＥＳであるとＳ５２に進み、ＮＯであると、Ｓ５０に進む。
【００５３】
Ｓ５２は、ＡＤＳＬを使用したＬＡＮ通信の実行を表している。
【００５４】
【発明の効果】
第１、２の本発明によれば、電話回線への接続、電話回線帯域の信号を入出力するポートへの接続、電話回線帯域より高い周波数の帯域の信号を入出力するポートへの接続可能なスプリッタ装置において、電話回線帯域の信号を入出力するポートからの通信が選択時は、電話回線帯域より高い周波数の帯域の信号を入出力するポートでの通信が実行されていない場合は、電話回線帯域より高い周波数の帯域の信号を入出力するポートでの通信パスをオフした後に、電話回線帯域の信号を入出力するポートからの通信をすぐに実行し、確実なファクシミリ通信が可能になり、ユーザに取ってとても使い易くなった。また、電話回線帯域より高い周波数の帯域の信号を入出力するポートでの通信が実行している場合は、電話回線帯域の信号を入出力するポートからの通信を実行しない事が可能になり、ファクシミリ通信がエラーする場合は、通信を実行しないで待てるので、無駄なファクシミリ通信が無くなり、ユーザにはとても使いやすくなった。
【００５５】
第３の本発明によれば、電話回線帯域より高い周波数の帯域の信号を入出力するポートからの電話回線を介して通信する事が選択された時、電話回線帯域の信号を入出力するポートからの通信を実行していない場合は、電話回線帯域より高い周波数の帯域の信号を入出力するポートからの電話回線を介しての通信を実行でき、ファクシミリ通信が実行している場合は、ＬＡＮ通信は実行しなくて、ファクシミリ通信を妨害する事は無くなった。
【００５６】
第４、５の本発明によれば、電話回線帯域の信号を入出力するポートからは、通話のみを実行する場合は、通話中に、ＬＡＮ通信を実行しても通話エラーとなる事は無いので、これらの２つの動作（通話、及び、ＬＡＮ通信）を同時に実行できユーザには使い易くなった。
【図面の簡単な説明】
【図１】本発明によるスプリッタ装置、及び、その周辺装置の実施例のブロック図
【図２】本発明による制御の流れ図
【図３】本発明による制御の流れ図
【図４】本発明による制御の流れ図
【符号の説明】
２  スプリッタ
４  ＡＤＳＬモデム内蔵ブロードバンドルータ
６  ＰＣ１
８  ＰＣ２
１０  ＦＡＸ
２０  操作部
２２  制御回路
２４  帯域信号通過回路
２６  ビジートーン発生回路
２８  リレー
３０  リレー
【図１】
2004241990.tif 000003
【図２】
2004241990.tif 000004
【図３】
2004241990.tif 000005
【図４】
2004241990.tif 000006